(57)【要約】【課題】  完全折畳収容型ステッパーを提供する。【解決手段】  ベース１０を有し、該ベース１０の両側に抵抗機能を有し、且つ交互に上下移動可能な一対のステップ板２１，２１からなる踏み面２０が設けられ、該ベース１０に前後移動又は位置決めする連動機構３０が設けられ、該連動機構３０の後端に踏み面２０の下方への移動を制限すると共に、ベース１０に摺動可能な係止ブロック３３が設けられ、前端に作動部材３４が枢設され、該連動機構３０と係止ブロック３３を一緒に前方向へ移動することにより、ステップ板２１を最も下方の位置に移動して、体積を縮めることができる構成とした。【選択図】  図１
0003121209.tif 000002
【実用新案登録請求の範囲】
【請求項１】
ベースと、該ベースの左右両側に夫々設けられる踏み面と、該ベースに設けられると共に、該踏み面と連動可能な連動機構とを備える完全折畳収容型ステッパーであって、
前記ステッパーは、前記ベースの中央に上下方向に貫通する貫通孔を有する主ロッドが設けられ、該貫通孔と対応する主ロッドの底部両側に夫々案内ブロックが設けられ、該案内ブロックとの間に案内部が形成され、該主ロッドの前端に枢接部材が設けられると共に、下方に前記主ロッドと直交する支持座が設けられ、該枢接部材の横方向に前軸が貫通され、該支持座の中央が前記案内ブロックと結合されており、
前記踏み板は、主ロッドの両側に互いに対称に配置されたステップ板よりなり、各ステップ板における底部の前側に内側アームが枢設され、該内側アームの下端が前記前軸に枢設されると共に、該内側アームの下端近傍には連動プレートが設けられ、各ステップ板の底部と支持座の一側との間にシリンダーが枢設されており、
前記連動機構は、前記案内部に位置されると共に、該主ロッドの貫通孔と対応する第１位置決め孔を有する可動部材を有し、該第１位置決め孔と貫通孔に位置決めピンが設けられることにより、連動機構が主ロッドと結合されており、該可動部材の前端に作動部材が枢設され、該作動部材の両端と前記内側アームの連動プレートとの間に連動部材が設けられることを特徴とする完全折畳収容型ステッパー。
【請求項２】
前記枢接部材の後側における主ロッドの前側に高さが前軸より低い後軸が設けられ、前記支持座は、コ字形状のプレートであり、両端が該後軸と結合され、前記踏み板における底部の後側に外側アームが枢設されると共に、該外側アームの下端が前記後軸に枢設されており、
前記主ロッドにおける底部の前側に長孔が形成され、前記可動部材の前端部にコ字形状の枢設座が設けられ、該枢設座の上側が該長孔の後端に位置されると共に、枢設孔が形成され、前記作動部材の中央に枢設孔が形成され、作動部材の枢設孔と枢設座の枢設孔に枢軸が設けられることを特徴とする請求項１に記載の完全折畳収容型ステッパー。
【請求項３】
前記主ロッドにおける貫通孔の後側に案内孔が形成され、該案内孔に該案内孔を貫通すると共に、可動部材と結合する係止ブロックが設けられ、該係止ブロックの上面に接触部が設けられると共に、下面に可動部材と結合するための延伸部が設けられ、前記踏み板の各ステップ板の底部に該接触部と対応するストッパーが設けられ、
前記連動部材は、固定ロッドと調整ロッドを含み、該固定ロッドの一端にねじ孔が形成されると共に、他端にベアリングが設けられ、該調整ロッドの一端に固定ロッドのねじ孔に対応するねじ山が形成されると共に、他端にベアリングが設けられ、
前記各連動プレートと作動部材に互いに対応する貫通孔が形成され、該貫通孔と連動部材のベアリングにボルトとナットが設けられることにより、連動部材を連動プレートと作動部材との間に枢設させ、
前記主ロッドの後端に湾曲状の支持ロッドが結合され、該支持ロッドの両端の間に握持ロッドが設けられ、
前記ストッパーには磁石と磁力センサーが設けられることにより、ステップ板を交互に上下移動する回数を計算することを特徴とする請求項１又は２に記載の完全折畳収容型ステッパー。
【考案の詳細な説明】
【技術分野】
【０００１】
本考案は、歩行運動練習用のステッパーに関し、特に、折畳みみ並びに収容が容易な完全折畳み収容型ステッパーに関するものである。
【背景技術】
【０００２】
従来のステッパーは、例えば、台湾実用新案登録第Ｍ２８３６５４号「ステッパー構造の改良」に示されるように、ベースに二つの斜面を有する固定座が設けられ、該固定座に夫々一対のステップ板が設けられ、該ステップ板とベースとの間に抵抗部材が設けられ、更に、固定座の後側に内部に枢設プレートを枢設する支持座が設けられると共に、該枢設プレートの両端と各ステップ板との間に連動部材が設けられ、該連動部材が枢設プレートによってステップ板を連動することにより、ステップ板を交互に上下へ又は左右へ移動するようにしたものが開示されている。
前記ステッパーは、歩行運動のための機能を提供できるが、体積が大きく折畳みむことが出来ないので、使用時或いは持ち運び時に、非常に面倒である。
【０００３】
又、台湾実用新案公告第２１００１６号「リズム練習機」は、ベースの前側にプーリーが設けられると共に、両側に上下へ移動可能なステップ板が設けられ、該ステップ板とベースとの間に抵抗機能を有するシリンダーが設けられ、該ステップ板の前端にプーリーを巻き回すロープが設けられ、該ロープの連動により、ステップ板が交互に上下へ移動することができるものである。
【特許文献１】台湾実用新案登録第Ｍ２８３６５４号
【特許文献２】台湾実用新案公告第２１００１６号
【考案の開示】
【考案が解決しようとする課題】
【０００４】
しかしながら、前記リズム練習機は、該ロープを取り外さなければ、ステップ板を最も下方に移動することが出来ず、全体の体積を縮めることができず、非常に不便であるという問題点がある。
そこで、案出されたのが本考案であって、本考案は折畳み並びに収容が容易な完全折畳み収容型ステッパーを提供することを目的としている。
【課題を解決するための手段】
【０００５】
本願の請求項１の考案に係る全折畳み収容型ステッパーは、ベースと、該ベースの左右両側に夫々設けられる踏み面と、該ベースに設けられると共に、該踏み面と連動可能な連動機構とを備える完全折畳み収容型ステッパーであって、前記ステッパーは、前記ベースの中央に上下方向に貫通する貫通孔を有する主ロッドが設けられ、該貫通孔と対応する主ロッドの底部両側に夫々案内ブロックが設けられ、該案内ブロックとの間に案内部が形成され、該主ロッドの前端に枢接部材が設けられると共に、下方に前記主ロッドと直交する支持座が設けられ、該枢接部材の横方向に前軸が貫通され、該支持座の中央が前記案内ブロックと結合されており、前記踏み板は、主ロッドの両側に互いに対称に配置されたステップ板よりなり、各ステップ板における底部の前側に内側アームが枢設され、該内側アームの下端が前記前軸に枢設されると共に、該内側アームの下端近傍には連動プレートが設けられ、各ステップ板の底部と支持座の一側との間にシリンダーが枢設されており、前記連動機構は、前記案内部に位置されると共に、該主ロッドの貫通孔と対応する第１位置決め孔を有する可動部材を有し、該第１位置決め孔と貫通孔に位置決めピンが設けられることにより、連動機構が主ロッドと結合されており、該可動部材の前端に作動部材が枢設され、該作動部材の両端と前記内側アームの連動プレートとの間に連動部材が設けられることを特徴とする。
【０００６】
本願の請求項２の考案は、請求項１に記載の完全折畳み収容型ステッパーにおいて、前記枢接部材の後側における主ロッドの前側に高さが前軸より低い後軸が設けられ、前記支持座は、コ字形状のプレートであり、両端が該後軸と結合され、前記踏み板における底部の後側に外側アームが枢設されると共に、該外側アームの下端が前記後軸に枢設されており、前記主ロッドにおける底部の前側に長孔が形成され、前記可動部材の前端部にコ字形状の枢設座が設けられ、該枢設座の上側が該長孔の後端に位置されると共に、枢設孔が形成され、前記作動部材の中央に枢設孔が形成され、作動部材の枢設孔と枢設座の枢設孔に枢軸が設けられることを特徴とする。
【０００７】
本願の請求項３の考案は、請求項１又は２に記載の完全折畳み収容型ステッパーにおいて、前記主ロッドにおける貫通孔の後側に案内孔が形成され、該案内孔に該案内孔を貫通すると共に、可動部材と結合する係止ブロックが設けられ、該係止ブロックの上面に接触部が設けられると共に、下面に可動部材と結合するための延伸部が設けられ、前記踏み板の各ステップ板の底部に該接触部と対応するストッパーが設けられ、前記連動部材は、固定ロッドと調整ロッドを含み、該固定ロッドの一端にねじ孔が形成されると共に、他端にベアリングが設けられ、該調整ロッドの一端に固定ロッドのねじ孔に対応するねじ山が形成されると共に、他端にベアリングが設けられ、前記各連動プレートと作動部材に互いに対応する貫通孔が形成され、該貫通孔と連動部材のベアリングにボルトとナットが設けられることにより、連動部材を連動プレートと作動部材との間に枢設させ、前記主ロッドの後端に湾曲状の支持ロッドが結合され、該支持ロッドの両端の間に握持ロッドが設けられ、前記ストッパーには磁石と磁力センサーが設けられることにより、ステップ板を交互に上下移動する回数を計算することを特徴とする。
【考案の効果】
【０００８】
本考案は上記の課題を解決するものであり、単に位置決めピンを嵌合孔と第１位置決め孔から取り外し、内側アームと踏み面となるステップ板が同時に最も下方の位置へ移動し、踏み面がベースの支持ロッドと支持座との間に位置されることにより、体積を縮め全体の容積をコンパクトにすることができ、ステッパー使用後の移動並びに収納が容易にでき非常に便利である。
【考案を実施するための最良の形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１０】
図１は本考案に係る完全折畳み収容型ステッパーを示す一実施例の分解斜視図であり、図２は本考案に係る完全折畳み収容型ステッパーの実施例における連動部材を示す分解斜視図であり、図３は本考案に係る実施例の完全折畳み収容型ステッパーを組み立てた状態を示す斜視図であり、図４は本考案に係る実施例の完全折畳み収容型ステッパーの前後中央部分を断面した縦断面図であり、図５は右側ステップ板が下降した状態の側面図、図６は左側ステップ板が下降した状態の側面図である。図７は本考案の完全折畳み収容型ステッパーの折り畳んだ状態を底面側より見た斜視図であり、図８は本考案の完全折畳み収容型ステッパーの折り畳んだ状態を上方より見た斜視図である。図９は本考案に係る完全折畳み収容型ステッパーの折り畳んだ状態を示す側面図であり、図１０は本考案に係る完全折畳み収容型ステッパーにケースを取付けた状態を示す斜視図であり、図１１は図１０の折り畳んだ状態を示す側面図である。
【００１１】
本考案に係る完全折畳み収容型ステッパーは、図１乃至図４に示すように、床面上に設置されるベース１０と、該ベース１０の左右両側に枢設される一対のステップ板２１からなる踏み面２０と、該ベース１０に位置決めすると共に、該踏み面２０を連動する連動機構３０とを備える。
【００１２】
前記ベース１０の中央には中空角棒状の主ロッド１１が設けられ、該主ロッド１１の中央に夫々貫通孔１１１と案内孔１１２が形成され、該貫通孔１１１にパイプ１１１１が嵌合設置され、該パイプ１１１１の下端が主ロッド１１と連接されると共に、上端が主ロッド１１の上面部から突出された突出部１１１２が形成されている。また、該主ロッド１１の底面部には該貫通孔１１１１の前端側に長孔１１３（図４参照）が形成され、該長孔１１３と貫通孔１１１との間の両壁側には後軸孔１１４が形成されている。
【００１３】
前記主ロッド１１の底面部には、前記貫通孔１１１と対応する二つの案内ブロック１１５が配設され、各案内ブロック１１５との間には溝状の案内部１１６が形成され、又、該案内ブロック１１５の前，後側に、夫々、ねじ孔１１５１が形成されている。
【００１４】
前記主ロッド１１の後端部には湾曲状の支持ロッド１２が結合され、該支持ロッド１２の両端の間には握持ロッド１２１が取り付けられている。
一方、前記主ロッド１１の前端部にはコ字形状の枢接部材１３が設けられ、該枢接部材１３の両側に前軸孔１３１が形成されている。
【００１５】
前記後軸孔１１４には両端にねじ孔１４１を有する後軸１４が挿入され、該後軸１４の外側に緩衝パイプ１４２が設けられると共に、端部にＴ字形状の短筒１４３が設けられている。
【００１６】
又、前記枢接部材１３の前軸孔１３１には前記後軸１４より短いと共に、両端外周面にねじ山１５１を有する前軸１５が設けられ、該前軸１５の両端外側にＴ字形状の短筒１５２がそれぞれ設けられると共に、端部のねじ山１５１にナット１５３が設けられることにより、Ｔ字形状の短筒１５２を前軸１５に固定する。
【００１７】
前記主ロッド１１の底面部の下方には、該主ロッド１１と直交する支持座１６が設けられ、該支持座１６は、底プレート１６１を有し、中央に夫々主ロッド１１の貫通孔１１１に対応する嵌合孔１６１１と、案内ブロック１１５のねじ孔１１５１に対応するロック孔１６１２が形成され、該ねじ孔１１５１とロック孔１６１２にボルト１６１３を配設することにより、底プレート１６１を主ロッド１１の底面部に固定されるようになっている。
【００１８】
前記底プレート１６１の両端は、それぞれ上方へ折り曲げられて側プレート１６２を形成しており、該側プレート１６２には側孔１６２１が設けられている。そして、前記側孔１６２１と前記後軸１４のねじ孔１４１にボルト１６３を配設することで互いに固定される。また、前記側プレート１６２の付近にコ字形状の下シリンダー座１６４が設けられている。
【００１９】
前記主ロッド１１の両側にはそれぞれ踏み面２０が設けられ、各踏み面２０はそれぞれステップ板２１からなり、各ステップ板２１の前、後端に夫々内側アーム座２１１と外側アーム座２１２が設けられ、該内側アーム座２１１と外側アーム座２１２との間に上シリンダー座２１３が設けられている。  
前記内側アーム座２１１には下端部に取付筒２２１を設けた内側アーム２２の前端部が連結されている。前記取付筒２２１には前記Ｔ字形状の短筒１５２を取付け、又、該内側アーム２２における取付筒２２１の近傍には下方へ延伸し、且つ左右方向に貫通する貫通孔２２２１を有する連動プレート２２２が取り付けられている。
【００２０】
前記各外側アーム座２１２には内側アーム２２と平行すると共に、下端部に取付筒２３１を有する外側アーム２３が枢設され、該取付筒２３１には後軸１４のＴ字形状の短筒１４３が取付けられる。又、前記上シリンダー座２１３と下シリンダー座１６４との間にはシリンダー２４が設けられている。また、各ステップ板２１底部の内側にはストッパー２１４が設けられ、該ストッパー２１４には磁石２１４１に吸着された磁力センサー２１４２が設けられることにより、ステップ板２１が交互に上下移動する回数を計算することができる。
【００２１】
前記連動機構３０は、図７に良く見られるように、前記支持座１６と主ロッド１１の案内部１１６との間に位置決めされ、前記貫通孔１１１と案内孔１１２に対応するプレート状の可動部材３１とを有し、該可動部材３１に貫通孔１１１と対応する第１位置決め孔３１１と、該第１位置決め孔３１１の後側に位置する第２位置決め孔３１４が形成されている。そして、前記パイプ１１１１に上端に取手部３２１を有する位置決めピン３２が挿入される。  
前記位置決めピン３２は、前記取手部３２１と螺合するロッド３２２とを有し、該ロッド３２２の下端に大きい外径を有する係止部３２２１が設けられ、該係止部３２２１と突出部１１１２との間にスプリング３２３が設けられ、該係止部３２２１が第１位置決め孔３１１を通じて嵌合孔１６１１に係止することにより、連動機構３０の可動部材３１を主ロッド１１と結合するようになっている。
【００２２】
前記可動部材３１は、位置決めピン３２を第１位置決め孔３１１を貫通させることで位置決めするが、位置決めピン３２は第２位置決め孔３１４に貫通することで位置決めすることも出来る。
【００２３】
前記主ロッド１１には、前記案内孔１１２を貫通して可動部材３１と結合する係止ブロック３３が設けられ、該係止ブロック３３の上部に前記ストッパー２１４と対応する接触部３３１が設けられると共に、下部の中央には案内孔１１２を貫通して前記可動部材３１と結合する延伸部３３２が設けられている。
【００２４】
前記可動部材３１の前端部には、前記枢設孔３１２１を有するコ字形状の枢設座３１２が設けられ、該枢設座３１２の上側が前記長孔１１３の後端部に位置し、該枢設座３１２の内部には中央に枢設孔３４１を有する作動部材３４が設けられている。また、該枢設孔３１２１，３４１には枢軸３１３が嵌合配設され、又、該作動部材３４の両端に夫々貫通孔３４２が形成され、該貫通孔３４２と連動プレート２２２の貫通孔２２２１に、図２に拡大して示す連動部材３５が枢設されている。
【００２５】
前記連動部材３５は、固定ロッド３５１と調整ロッド３５２とからなり、該固定ロッド３５１の後端にねじ孔３５１１が形成されると共に、前端にベアリング３５１２が設けられ、該調整ロッド３５２の前端に固定ロッド３５１のねじ孔３５１１と対応するねじ山３５２１が設けられると共に、後端にベアリング３５２２が設けられ、該貫通孔２２２１，３４２にボルト３６が取り付けられて、該ボルト３６がベアリング３５１３，３５２３を貫通した後、ナット３７と螺合する。
【００２６】
又、図２、図５及び図６に示すように、前記踏み面２０における一つのステップ板２１を踏む時、シリンダー２４が緩衝機能を提供し、ステップ板２１における内側アーム２２が前端を支点として揺動されると共に、内側アーム２２における連動プレート２２２が連動部材３５の一端を前方向へ移動させる。この時、前記連動部材３５の他端と枢設する連動部材３５が他のステップ板２１における内側アーム２２の連動プレート２２２を後方向へ連動し、他のステップ板２１を上昇移動させるようになっている。
【００２７】
本考案のステップ板２１の底部には係止ブロック３３と対応するストッパー２１４が設けられているため、ステップ板２１の位置が低すぎることによりベース１０と接触する問題を避け得る。又、連動部材３５の固定ロッド３５１と調整ロッド３５２は、螺合によって結合するので、ステップ板２１の上下方向への移動距離を調整できる。
【００２８】
又、図４、図７乃至図９に示すように、本考案に係る完全折畳み収容型ステッパーを折畳み収容する場合、位置決めピン３２を嵌合孔１６１１と第１位置決め孔３１２又は第２位置決め孔３１４から取り外すことで、前記可動部材３１が案内部１１６に摺動されると共に、枢設座３１２が長孔１１３の後端から前端へ移動し、前記作動部材３４も前方向へ移動すると共に、係止ブロック３３が案内孔１１２に沿って前方向へ移動し、ステップ板２１のストッパー２１４が係止ブロック３３と離れることにより、ステップ板２１を最も下方の位置へ移動することができる。
【００２９】
前記位置決めピン３２を取り外した後、作動部材３４が前方向へ移動すると共に、連動プレート２２２も前方向へ移動するので、前アーム２２とステップ板２１が同時に最も下方の位置へ移動し、踏み面２０がベース１０の支持ロッド１２と支持座１６との間に位置されることにより、体積を縮めることができる。
【００３０】
又、図３、図１０及び図１１に示すように、本考案に係るステップ板２１の踏み面２０上面に踏みパッド４０が設けられ、枢接部材１３、支持座１６、支持ロッド１２の両端及び前アーム２２の前端にケース４１，４２，４３が設けられることにより、美観性と対衝撃性の向上を図ることができる。
【産業上の利用可能性】
【００３１】
本考案は上記の構成を有し、単に位置決めピンを嵌合孔と第１位置決め孔から取り外し、前アームとステップ板が同時に最も下方の位置へ移動し、踏み面がベースの支持ロッドと支持座との間に位置されることにより、体積を縮めることができるので、非常に便利である。
【図面の簡単な説明】
【００３２】
【図１】本考案に係る完全折畳み収容型ステッパーの実施例を示す分解斜視図である。
【図２】本考案に係る完全折畳み収容型ステッパーにおける連動部材を示す分解斜視図である。
【図３】本考案に係る完全折畳み収容型ステッパーの組み立て全体を示す斜視図である。
【図４】本考案に係る完全折畳み収容型ステッパーの断面図である。
【図５】本考案に係る完全折畳み収容型ステッパーの使用状態を示す側面図である。
【図６】本考案に係る完全折畳み収容型ステッパーの使用状態を示す側面図である。
【図７】本考案に係る完全折畳み収容型ステッパーの折り畳んだ状態を示す斜視図である。
【図８】本考案に係る完全折畳み収容型ステッパーの折り畳んだ状態を示す斜視図である。
【図９】本考案に係る完全折畳み収容型ステッパーの折り畳んだ状態を示す側面図である。
【図１０】本考案に係る完全折畳み収容型ステッパーにケースを取付けた状態を示す斜視図である。
【図１１】図１０の折り畳んだ状態を示す側面図である。
【符号の説明】
【００３３】
１０        ベース               １１        主ロッド
１１１      貫通孔               １１１１    パイプ
１１１２    突出部               １１２      案内孔
１１３      長孔                 １１４      後軸孔
１１５      案内ブロック         １１５１    ねじ孔
１１６      案内部               １２        支持ロッド
１２１      握持ロッド           １３        枢接部材
１３１      前軸孔               １４        後軸
１４１      ねじ孔               １４２      緩衝パイプ
１４３      Ｔ字形状の短筒       １５        前軸
１５１      ねじ山               １５２      Ｔ字形状の短筒
１５３      ナット               １６        支持座
１６１      底プレート           １６１１    嵌合孔
１６１２    ロック孔             １６１３    ボルト
１６２      側プレート           １６２１    側孔
１６３      ボルト               １６４      下シリンダー座
２０        踏み面              ２１        ステップ板        
２１１      内側アーム座         ２１２      外側アーム座
２１３      上シリンダー座      ２１４      ストッパー
２１４１    磁石                 ２１４２    磁力センサー
２２        内側アーム           ２２１      取付筒
２２２      連動プレート         ２２２１    貫通孔
２３        外側アーム           ２３１      取付筒
２４        シリンダー           ３０        連動機構
３１        可動部材             ３１１      第１位置決め孔
３１２      枢設座               ３１２１    枢設孔
３１３      枢軸                 ３１４      第２位置決め孔
３２        位置決めピン         ３２１      取手部
３２２      ロッド               ３２２１    係止部
３２３      スプリング           ３３        係止ブロック
３３１      接触部               ３３２      延伸部
３４        作動部材             ３４１      枢設孔
３４２      貫通孔               ３５        連動部材
３５１      固定ロッド           ３５１１    ねじ孔
３５１２    ベアリング           ３５２      調整ロッド
３５２１    ねじ山               ３５２２    ベアリング
３６        ボルト               ３７        ナット
４０        踏みパッド           ４１        ケース
４２        ケース               ４３        ケース
【図１】
0003121209.tif 000003
【図２】
0003121209.tif 000004
【図３】
0003121209.tif 000005
【図４】
0003121209.tif 000006
【図５】
0003121209.tif 000007
【図６】
0003121209.tif 000008
【図７】
0003121209.tif 000009
【図８】
0003121209.tif 000010
【図９】
0003121209.tif 000011
【図１０】
0003121209.tif 000012
【図１１】
0003121209.tif 000013